(57)【要約】      （修正有）【課題】従来の瓦葺きでは、多くの横桟木を必要とするだけでなく、横桟木の位置決めを正確にして縦桟木に固定しなくてはならないので、横桟木の取り付け作業に手間が掛かり、作業効率が悪かった。そこで、瓦葺きにおいて、横桟木を必要としないで簡単に瓦葺きができる瓦用縦桟を提供する。【解決手段】瓦用縦桟１は、瓦４の上端に下向きに形成された突起４ａを係止する係止用凸部２あるいは瓦の突起４aが落込む係止用凹部９からなる係止部が、帯材上に間隔をおいて一体に設けられている。また、帯材の長手方向の中央には、瓦４を固定するための釘５が打込まれる凸条３が形成されている。【選択図】図１
2007100355.tif 000002
【特許請求の範囲】
【請求項１】
横桟を用いないで瓦葺きするための瓦用縦桟において、瓦の上端に下向きに形成された突起を係止する係止部が帯材に間隔をおいて一体に設けられていることを特徴とする瓦用縦桟。
【請求項２】
係止部が瓦の上端の下部に設けられた突起を係止する係止用凸部であることを特徴とする請求項１記載の瓦用縦桟。
【請求項３】
係止用凸部が帯材上を長手方向に移動可能に設けられていることを特徴とする請求項２記載の瓦用縦桟。
【請求項４】
係止部が瓦の上端の下部に設けられた突起が落ち込む係止用凹部であることを特徴とする請求項１記載の瓦用縦桟。
【請求項５】
帯材の長手方向の中央に瓦を固定するための釘が打ち込まれる凸条が形成されていることを特徴とする請求項１または２記載の瓦用縦桟。
【発明の詳細な説明】
【技術分野】
【０００１】
本発明は、横桟木を使用することなく簡単に瓦葺き作業ができる瓦用縦桟に関するものである。
【背景技術】
【０００２】
図５は従来の縦桟木及び横桟木を用いて瓦を葺いた状態を示す斜視図、（ｂ）は同縦断面図である。
【０００３】
図５に示すように、従来の瓦葺きでは、垂木６に野地板７を敷き、野地板７の上面に防水シート、ゴムアース、アスファルトルーフィング等の下地８を設けた後、縦桟木１０を配置し、さらに縦桟木１０に横桟木１１を取り付ける。瓦４の上端面の突起４ａを横桟木１１に引っ掛け、釘５を瓦４の釘孔４ｂに通して横桟木１１に打ち込んで瓦４を固定している（特許文献１参照）。
【特許文献１】特開平８−３０２９１０号公報
【発明の開示】
【発明が解決しようとする課題】
【０００４】
従来の瓦葺きでは、多くの横桟木を必要とするだけでなく、横桟木の位置決めを正確にして縦桟木に固定しなくてはならないので、横桟木の取り付け作業に手間が掛かり、作業効率が悪かった。
【０００５】
そこで、本発明は、瓦葺きにおいて、横桟木を必要としないで簡単に瓦葺きができる瓦用縦桟を提供するものである。
【課題を解決するための手段】
【０００６】
本発明による瓦用縦桟は、瓦の上端に下向きに形成された突起を係止する係止部が帯材に間隔をおいて一体に設けられていることを特徴とする。
【０００７】
帯材の材質は、瓦を係止できる強度を有するもので、プラスチック製、金属製、ゴム製あるいは木製の帯材を利用することができる。帯材の幅は、例えば、プラスチック製で断面凹形の場合、約２５ｍｍ、高さ約６ｍｍで十分な強度が得られる。帯材は、瓦葺き前に釘などで固定され、瓦を固定した釘により野地板に強固に固定される。瓦用縦桟は、瓦葺きの際には、瓦の釘孔に一致するように配置される。釘孔にはパッキン付釘あるいはパッキン付ねじを通して瓦を固定するが、特に、パッキン付ねじは食い込みにより強固に固定することができる。
【０００８】
帯材上に間隔をおいて一体に形成される係止部は、瓦の突起を係止する係止用凸部、あるいは瓦の突起が落ち込む係止用凹部を瓦の寸法に応じて配置する。係止用凸部あるいは係止用凹部の形状は、特に限定されるものではなく、瓦上端に下向きに形成された突起を係止できる形状であればよい。また、係止用突起は、帯材の長手方向に移動可能に取り付けて係止用凸部の間隔を調整可能にしてもよい。
【０００９】
また、帯材の長手方向の中央には、瓦を固定するための釘が打ち込まれる凸条を形成する。凸条により瓦の上端部を支持するとともに、釘の固着力を大きくすることができる。釘は、縦桟を通して野地板に達するようにする。
【００１０】
本発明の瓦用縦桟は、平瓦、Ｓ型瓦、和型瓦、波状型瓦などすべての瓦に利用することができる。
【発明の効果】
【００１１】
本発明の瓦用縦桟は、帯材に予め形成されている凸部あるいは凹部に瓦の上端の突起を係止した後、釘を打ち込むだけで固定できるので、横桟木を使用する瓦葺き作業に比べて、手間を掛けることなく簡単に瓦葺き作業をすることができる。
【００１２】
また、横桟木を必要とせず、また簡単に製造することができるので、横桟木の場合に比べてコストを低減させることもできる。
【発明を実施するための最良の形態】
【００１３】
本発明の実施例について図面を参照しながら説明する。
【実施例１】
【００１４】
図１は本発明による縦桟の一実施例の斜視図、図２（ａ）は縦桟により瓦を葺いた状態を示す斜視図、（ｂ）は同縦断面図である。
【００１５】
図１において、本実施例の帯材からなる縦桟１は、断面凹形に形成して両側の壁１ａに補強リブの機能を持たせる。縦桟１には等間隔で瓦４（図２）の上端に下向きに形成された突起４ａを係止する係止部として係止用凸部２が設けられる。
【００１６】
帯材の長手方向の中央には、瓦４を固定するための釘５（図２）が打ち込まれる凸条３を形成する。
【００１７】
瓦葺き作業は、図２において、垂木６の上に野地板７を敷き、野地板７の上面に防水シートやゴムアース、アスファルトルーフィング等の下地８を設けた後、下地８の上に瓦４の釘孔４ｂの間隔に合わせて縦桟１を並行に配置して釘や接着剤などで固定する。
【００１８】
ついで、縦桟１の係止凸部２に瓦４の上端の突起４ａを係止した後、釘孔４ｂに釘５あるいは木ねじを通して縦桟１の凸条３及び野地板７に打ち込んだり、ねじ込んだりして瓦を固定する。以上の作業を繰り返して瓦を固定していく。
【実施例２】
【００１９】
図３は本発明による縦桟の別実施例の斜視図、図４（ａ）は縦桟により瓦を葺いた状態を示す斜視図、（ｂ）は同縦断面図である。
【００２０】
図３において、本実施例の帯材からなる縦桟１には、等間隔で瓦４（図４）の上端に下向きに形成された突起４ａを係止する係止部として係止用凹部９が設けられる。
【００２１】
帯材の長手方向の中央には、瓦４を固定するための釘５（図２）が打ち込まれる凸条３を形成する。
【００２２】
瓦葺き作業は、図４において、実施例１と同様に、垂木６の上に野地板７を敷き、野地板７の上面に防水シートやゴムアース、アスファルトルーフィング等の下地８を設けた後、下地８の上に瓦４の釘孔４ｂの間隔に合わせて縦桟１を並行に配置して釘や接着剤などで固定する。
【００２３】
ついで、縦桟１の係止凹部９に瓦４の上端の突起４ａを係止した後、釘孔４ｂに釘５を通して縦桟１の凸条３及び野地板７に打ち込んで瓦を固定する。以上の作業を繰り返して瓦を固定していく。
【図面の簡単な説明】
【００２４】
【図１】本発明による縦桟の一実施例の斜視図である。
【図２】（ａ）は実施例１の縦桟により瓦を葺いた状態を示す斜視図、（ｂ）は同縦断面図である。
【図３】本発明による縦桟の別実施例の斜視図である。
【図４】（ａ）は実施例２の縦桟により瓦を葺いた状態を示す斜視図、（ｂ）は同縦断面図である。
【図５】（ａ）は従来の縦桟木及び横桟木を用いて瓦を葺いた状態を示す斜視図、（ｂ）は同縦断面図である。
【符号の説明】
【００２５】
１：縦桟
２：係止用凸部
３：凸条
４：瓦
４ａ：突起
４ｂ：釘孔
５：釘
６垂木
７：野地板
８：下地
９：係止用凹部
１０：縦桟木
１１：横桟木
【図１】
2007100355.tif 000003
【図２】
2007100355.tif 000004
【図３】
2007100355.tif 000005
【図４】
2007100355.tif 000006
【図５】
2007100355.tif 000007